(57)【特許請求の範囲】
【請求項１】
フレームプレート（１１）と、
プレッシャープレート（１２）と、
前記フレームプレート（１１）と前記プレッシャープレート（１２）との間に配置された一連の熱交換プレート（１３）と、
前記フレームプレート（１１）に対して前記一連の熱交換プレート（１３）及び前記プレッシャープレート（１２）をガイドするガイドバー（１５）と、
前記ガイドバー（１５）に配置された締付部材（４０）と、
前記締付部材（４０）が前記フレームプレート（１１）に向かう方向に前記プレッシャープレート（１２）を押圧するように、前記締付部材（４０）と前記プレッシャープレート（１２）との間に配置されたプレート係合部（５０）とを具備し、
前記プレート係合部（５０）は、解放可能であり、前記締付部材（４０）は、前記ガイドバー（１５）を保護するように構成され、これにより、前記プレート係合部（５０）が解放されたとき、前記プレッシャープレート（１２）が、前記フレームプレート（１）から離れる方向に、前記締付部材（４０）を越えて移動することができるプレート熱交換器。
【請求項２】
前記プレート係合部（５０）は、Ｕ形状の切欠き（５４）が設けられたワッシャの形態を有し、
前記Ｕ形状の切欠き（５４）は、前記プレート係合部（５０）が前記締付部材（４０）と前記プレッシャープレート（１２）との間の位置から取り外されることを可能にする請求項１のプレート熱交換器。
【請求項３】
前記プレート係合部（５０）は、前記締付部材（４０）に対する前記プレート係合部（５０）の横方向への移動を制限するために、前記締付部材（４０）を受けるように構成された凹部（５５）を有する請求項１又は２のプレート熱交換器。
【請求項４】
前記プレート係合部（５０）は、前記プレッシャープレート（１２）に対する前記プレート係合部（５０）の回転移動を制限するために、前記プレッシャープレート（１２）のコネクタ（１２２，１２３）と相互作用するように構成されたコネクタ（５３）を有する請求項１ないし３のいずれか１のプレート熱交換器。
【請求項５】
前記締付部材（４０）は、
前記締付部材（４０）を越えて前記プレッシャープレート（１２）をガイドするガイド部（４１）と、
前記締付部材（４０）を締め付けて、これにより、前記フレームプレート（１１）に向かう方向に前記プレッシャープレート（１２）を押圧するグリップ部（４２）とを有する請求項１ないし４のいずれか１のプレート熱交換器。
【請求項６】
前記締付部材（４０）の前記グリップ部（４３２）を越えて前記プレッシャープレート（１２）をガイドするために、前記締付部材（４０）の前記グリップ部（４２）の上に配置されるように構成されたガイドスリーブ（７０，１５５）を有する請求項５のプレート熱交換器。
【請求項７】
前記ガイドスリーブ（１５５）は、細長であり、また、
前記ガイドスリーブ（１５５）は、前記ガイドバー（１５）のねじ部（１５７）の上で前記プレッシャープレート（１２）をガイドするために、前記ガイドバー（１５）の前記ねじ部（１５７）を覆っている請求項６のプレート熱交換器。
【請求項８】
前記ガイドバー（１５）用の支持体（６０）を有し、
前記支持体（６０）は、前記支持体（６０）を越えて前記プレッシャープレート（１２）をガイドするガイド部（６１）を有する請求項１ないし７のいずれか１のプレート熱交換器。
【請求項９】
前記支持体（６０）は、開口（６２）を有し、前記ガイドバー（１５）が前記開口（６２）を通って延びている請求項８のプレート熱交換器。
【請求項１０】
熱交換器が動作するように組み立てられたとき、前記支持体（６０）が、前記プレッシャープレート（１２）の位置の真下に配置されている請求項８又は９のプレート熱交換器。
【請求項１１】
前記支持体（６０）の前記ガイド部（６１）は、前記締付部材（４０）の前記ガイド部（４１）の周縁面の形状と同様の形状を備えた周縁面を有する請求項５又は８のプレート熱交換器。
【請求項１２】
前記プレッシャープレート（１２）は、前記ガイドバー（１５）を受ける切欠き（１２１）を有し、
前記切欠き（１２１）の表面（１２４）は、前記締付部材（４０）を越えて摺動するように構成されている請求項１ないし１１のいずれか１のプレート熱交換器。
【請求項１３】
プレート熱交換器の第１及び第２の側（３，４）に配置された一連の締付ボルト（２１〜２６）を有し、
前記ガイドバー（１５）は、前記一連の締付ボルト（２１〜２６）と協働して、前記フレームプレート（１１）に向かって前記プレッシャープレート（１２）を押圧するように、プレート熱交換器の下側（５）に配置されている請求項１ないし１２のいずれか１のプレート熱交換器。
【請求項１４】
プレート熱交換器の前記下側（５）で、前記一連の締付ボルト（２１〜２６）及び前記ガイドバー（１５）と協働して、前記フレームプレート（１１）に向かって前記プレッシャープレート（１２）を押圧するように、プレート熱交換器の上側（６）に配置されたさらなるガイドバー（１６）を有し、
さらなる締付部材（８１）と、さらなるプレート係合部（８２）とが、前記さらなるガイドバー（１６）に配置され、
前記さらなる締付部材（８１）と前記さらなるプレート係合部（８２）とは、夫々、プレート熱交換器の前記下側（５）の前記ガイドバー（１５）で、前記締付部材（４０）及び前記プレート係合部（５０）と同様に構成されている請求項１３のプレート熱交換器。
【請求項１５】
請求項１ないし１４のいずれか１のプレート熱交換器を開く方法であって、
前記プレート係合部（５０）が解放されることができるように、前記締付部材（４０）を締付解除すること（９１）と、
前記プレート係合部（５０）を解放すること（９２）と、
前記締付部材（４０）を締め付けること（９３）と、
前記フレームプレート（１１）から離れる方向に、前記締付部材（４０）を越えて前記プレッシャープレート（１２）を移動させること（９４）とを具備する方法。
【発明の詳細な説明】
【技術分野】
【０００１】
本発明は、ガイドバーがフレームプレートに対して一連の熱交換プレート及びプレッシャープレートをガイドするプレート熱交換器に関する。
【背景技術】
【０００２】
プレート熱交換器には、代表的には、フレームプレートとプレッシャープレートとの間に積層された複数の熱交換プレートが設けられている。例えば、プレート熱交換器が熱交換プレートのクリーニングやメンテナンスのために開かれるべき、あるいは、少なくとも１つの熱交換プレートが交換される、追加される、又は取り外されるべきアプリケーションでは、ガスケットが、しばしば、熱交換プレート間に配置されている。
【０００３】
熱交換プレートは、プレッシャープレートからフレームプレートに延びているボルトを締め付けることによって互いに押圧される。ガスケットにより封止された並列な流路の配置は、２つの流体を熱的に互いに近い異なる温度にもたらすために、熱交換プレートの間に形成されており、熱が一方の流体から他方の流体に伝達されることを可能にする。並列な流路の配置は、さまざまなやり方で実行されることができ、半溶接されたプレート熱交換器、二重壁プレート熱交換器、ワイドギャッププレート熱交換器等のような、さまざまなタイプのプレート熱交換器が存在する。
【０００４】
熱交換プレート及びガスケットを含むプレート熱交換器は、さまざまなタイプの材料でできていることができる。しかし、ガスケットは、代表的には、可撓性材料でできており、熱交換プレートの圧縮が、ガスケットが並列な流路を適切に封止するために必要とされる。
【０００５】
プレート熱交換器が開かれなければならないとき、締付ボルトが解放されて、プレッシャープレートが、代表的には、床構造体のような支持面に固定されたフレームプレートから離れる方向に移動される。プレッシャープレートの移動は、プレッシャープレートをガイドするか支持するかの少なくとも一方の少なくとも１つのガイドバーと支持バーとの少なくとも一方によってガイドされる。プレッシャープレートがフレームプレートから離れるように移動された後、熱交換プレートに対する圧縮が解除され、熱交換プレートは、フレームプレートから離れて各熱交換プレートを移動させることによって分離されることができる。プレート熱交換器は、このようにして開かれ、そして、一部の又は全ての熱交換プレートがアクセス可能であり、クリーンにされる、取り外される、又は新しいものに交換されることができる。
【０００６】
プレート熱交換器が閉じられるとき、全てのプレートがガイドバー／支持バーによってガイドされるようにフレームプレートに向かって移動される。閉じることは、熱交換プレートを圧縮するために締付ボルトを締め付けることを含み、ガイドバー／支持バーは、プレートが互いに対して適切にアライメントされることを確実にする。
【０００７】
プレート熱交換器の開閉に関する原理及び異なるプレートを適切にガイドし支持することは、当技術分野では周知であり、多くの関連技術が開示されている。
【０００８】
例えば、国際公開ＷＯ９９／２３４３４は、フレームプレートとプレッシャープレートとを互いに所望の距離に保持するために、フレームプレートとプレッシャープレートとの間に延びている連結バー（締付ボルト）を備えたプレート熱交換器を開示している。これにより、熱交換プレートのコアは、一緒に保持される。タイバーの少なくとも１つが、プレッシャープレート及び熱交換プレートに対するガイド要素を形成し、ガイド要素のねじ部を熱伝達プレートとの係合から保護するための保護スリーブで囲まれている。
【０００９】
国際公開ＷＯ２０１０／１０４４４９は、ねじ付き締付ボルトが第１のエンドプレート（プレッシャープレート）と第２のエンドプレート（フレームプレート）との間に延びているプレート熱交換器を開示している。ガイド要素は、プレート熱交換器状のより最適な負荷分布を与えるために、締付ボルトの１つに配置されており、なおも第１のエンドプレート及び多くの熱交換プレートが適切にガイドされることを確保にしている。
【００１０】
従来技術はプレート熱交換器の開閉を容易にしているものの、なおも、プレッシャープレート及び熱交換プレートが適切にガイドされ支持されることを確保している。しかし、いくつかの場合には、特に、プレート熱交換器が定期的にクリーンにされなければならなければ、開閉に比較的時間がかかり、プレート熱交換器の動作時間が短縮されてしまう。
【先行技術文献】
【特許文献】
【００１１】
【特許文献１】国際公開ＷＯ９９／２３４３４
【特許文献２】国際公開ＷＯ２０１０／１０４４４９
【発明の概要】
【００１２】
本発明の目的は、従来技術の上述の制限の少なくとも１つを克服するである。特に、より動作時間の長いプレート熱交換器を提供することを目的とする。
【００１３】
従って、フレームプレートと、プレッシャープレートと、前記フレームプレートと前記プレッシャープレートとの間に配置された一連の熱交換プレートと、前記フレームプレートに対して前記一連の熱交換プレート及び前記プレッシャープレートをガイドするガイドバーと、前記ガイドバーに配置された締付部材と、前記締付部材が前記フレームプレートに向かう方向に前記プレッシャープレートを押圧するように、前記締付部材と前記プレッシャープレートとの間に配置されたプレート係合部とを具備するプレート熱交換器が提供される。前記プレート係合部は、解放可能であり、前記締付部材は、前記ガイドバーを保護するように構成され、これにより、前記プレート係合部が解放されたとき、前記プレッシャープレートが、前記フレームプレートから離れる方向に、前記締付部材を越えて移動することができる。
【００１４】
代表的には、プレート係合部は、解放可能であることができ、また、締付部材は、ガイドバーを保護するように構成されることができる。これにより、プレート係合部が解放されたとき、プレッシャープレートと、一連の熱交換プレートの少なくとも１つの熱交換プレートとが、フレームプレートから離れる方向に、締付部材を越えて移動することができる。
【００１５】
プレート係合部が解放されたとき、プレッシャープレート、及び、一般には、熱交換プレートが、締付部材を越えて移動することができるので、プレート熱交換器が、例えば、開かれるとき、締付部材をガイドバーから完全に取り外す必要がない。結果として、プレート熱交換器が、より迅速に開閉されることができ、プレート熱交換器の動作時間が長くなる。
【００１６】
ガイドバーにプレート係合と締付部材とが設けられていることの他の利点は、ガイドバーが熱交換プレートを圧縮する締付ボルトとして機能することができるということである。この利点の効果は、例えば、ガイドバーが従来の締付ボルトと組み合わせられたとき、圧縮力が、熱交換プレート全体にわたってより均一に分布されることができるということである。
【００１７】
前記プレート係合部は、Ｕ形状の切欠きが設けられたワッシャの形態を有することができ、前記Ｕ形状の切欠きは、前記プレート係合部が前記締付部材と前記プレッシャープレートとの間の位置から取り外されることを可能にする。プレート係合部が取り外されると、締付部材が、プレッシャープレートに作用することができず、プレッシャープレートと係合し、これは、プレッシャープレートがガイドバーに沿って、締付部材を越えて摺動することを可能にする。代表的には、これは、一連の熱交換プレートの熱交換プレートが、ガイドバーに沿って、締付部材を越えて摺動することを可能にすることができる。
【００１８】
本明細書中では、プレート係合部は、プレッシャープレートと締付部材との間の接続を与える間の構成要素として理解されることができ、プレート係合部が取り外されたとき、接続が解除される。プレート係合部は、このように、力が締付部材からプレッシャープレート部材に、またその逆に伝達されることを可能にする係合機能を有するものとして理解されることができる。
【００１９】
前記プレート係合部は、前記締付部材に対する前記プレート係合部の横方向への移動を制限するために、前記締付部材を受けるように構成された凹部を有することができる。
【００２０】
前記プレート係合部は、前記プレッシャープレートに対する前記プレート係合部の回転移動を制限するために、前記プレッシャープレートのコネクタと相互作用するように構成されたコネクタを有することができる。
【００２１】
前記締付部材は、前記締付部材を越えて前記プレッシャープレートをガイドするガイド部と、前記締付部材を締め付けて、これにより、前記フレームプレートに向かう方向に前記プレッシャープレートを押圧するグリップ部とを有することができる。締付部材のガイド部はまた、締付部材を越えて熱交換プレートをガイドすることができる。
【００２２】
プレート熱交換器は、前記締付部材の前記グリップ部を越えて前記プレッシャープレートをガイドするために、前記締付部材の前記グリップ部の上に配置されるように構成されたガイドスリーブを有することができる。ガイドスリーブはまた、締付部材のグリップ部を越えて熱交換プレートをガイドすることができる。
【００２３】
前記ガイドスリーブは、細長でありまた、前記ガイドスリーブは、前記ガイドバーのねじ部の上で前記プレッシャープレートをガイドするために、前記ガイドバーの前記ねじ部を覆っていることができる。ガイドスリーブはまた、ガイドバーのねじ部の上で熱交換プレートをガイドすることができる。
【００２４】
プレート熱交換器は、前記ガイドバー用の支持体を有することができ、前記支持体は、前記支持体を越えて前記プレッシャープレートをガイドするガイド部を有することができる。支持体のガイド部は、支持体を越えて熱交換プレートをガイドすることができる。
【００２５】
前記支持体は、開口を有することができ、前記ガイドバーが前記開口を通って延びていることができる。
【００２６】
熱交換器が動作するように組み立てられたとき、前記支持体は、前記プレッシャープレートの位置の真下に配置されていることができる。
【００２７】
前記支持体の前記ガイド部は、前記締付部材の前記ガイド部の周縁面の形状と同様の形状を備えた周縁面を有することができる。
【００２８】
前記プレッシャープレートは、前記ガイドバーを受ける切欠きを有し、前記切欠きの表面は、前記締付部材を越えて摺動するように配置されていることができる。
【００２９】
プレート熱交換器は、プレート熱交換器の第１及び第２の側に配置された一連の締付ボルトを有することができる。そして、前記ガイドバーは、前記一連の締付ボルトと協働して、前記フレームプレートに向かって前記プレッシャープレートを押圧するように、プレート熱交換器の下側に配置されていることができる。
【００３０】
プレート熱交換器は、プレート熱交換器の前記下側で、前記一連の締付ボルト及び前記ガイドバーと協働して、前記フレームプレートに向かって前記プレッシャープレートを押圧するように、プレート熱交換器の上側に配置されたさらなるガイドバーを有することができる。そして、さらなる締付部材と、さらなるプレート係合部とが、前記さらなるガイドバーのところに配置され、前記さらなる締付部材と前記さらなるプレート係合部とは、夫々、プレート熱交換器の前記下側の前記ガイドバーで、前記締付部材及び前記プレート係合部と同様に構成されていることができる。
【００３１】
他の態様によれば、本方法は、上述したプレート熱交換器を開くために提供される。本方法は、前記プレート係合部が解放されることができるように、前記締付部材を締付解除することと、前記プレート係合部を解放することと、前記締付部材を締め付けることと、前記フレームプレートから離れる方向に、前記締付部材を越えて前記プレッシャープレートを移動させることとを具備する。
【００３２】
本方法は、プレート熱交換器の全ての実施の形態並びに変形に用いられることができる。一般的に、本方法は、フレームプレートから離れる方向に締付部材を越えてプレッシャープレートを移動させるために、プレート熱交換器の第１及び第２の側に配置された一連の締付ボルトを締付解除することを含む。
【００３３】
本発明のさらなる他の目的、特徴、態様及び利点は、以下の詳細な説明、添付の特許請求の範囲並びに図面から明らかであろう。
【図面の簡単な説明】
【００３４】
【図１】図１は、第１の側から見たプレート熱交換器の斜視図である。
【図２】図２は、第２の側から見た図１のプレート熱交換器の斜視図である。
【図３】図３は、図２のＢの部分の横断面図である。
【図４ａ】図４ａは、プレート係合部の第１の側の斜視図である。
【図４ｂ】図４ｂは、プレート係合部の第２の側の斜視図である。
【図５】図５は、締付部材の斜視図である。
【図６】図６は、保護スリーブの斜視図である。
【図７】図７は、ガイドバー用の支持体の斜視図である。
【図８】図８は、プレート熱交換器のプレッシャープレートの部分斜視図である。
【図９ａ】図９ａは、プレート係合部がガイドバーからどのように取り外されることができるかを示す斜視図である。
【図９ｂ】図９ｂは、プレート係合部がガイドバーからどのように取り外されることができるかを示す斜視図である。
【図９ｃ】図９ｃは、プレート係合部がガイドバーからどのように取り外されることができるかを示す斜視図である。
【図９ｄ】図９ｄは、プレート係合部がガイドバーからどのように取り外されることができるかを示す斜視図である。
【図１０】図１０は、プレート熱交換器を開く方法を示すフローチャートである。
【図１１】図１１は、保護スリーブの他の実施の形態を示す斜視図である。
【図１２】図１２は、図１１により示される実施の形態の横断面図である。
【図１３ａ】図１３ａは、締付部材のさらなる実施の形態の斜視図である。
【図１３ｂ】図１３ｂは、締付部材のさらなる実施の形態の斜視図である。
【図１３ｃ】図１３ｃは、締付部材のさらなる実施の形態の斜視図である。
【図１３ｄ】図１３ｄは、締付部材のさらなる実施の形態の斜視図である。
【図１４】図１４は、プレート熱交換器の他の実施の形態の斜視図である。
【発明を実施するための形態】
【００３５】
図１並びに図２を参照すると、プレート熱交換器２が示される。プレート熱交換器２は、フレームプレート１１と、プレッシャープレート１２と、フレームプレート１１とプレッシャープレート１２との間に配置された複数の熱交換プレート１３とを有する。熱交換プレート１３は、波形であり、また、ガスケット（図示されない）が、熱交換プレート１３間に形成された並列な流路をシールするように熱交換プレート１３間に配置されている。第１の流体が、第１の入口３１からあらゆる第２の並列な流路に入ることができ、第１の出口３３を介して同一の並列な流路を出ることができる。第２の流体が、第２の入口３２を介して他の流路（即ち、第１の流体により入り込まれていない流路）に入ることができ、第２の出口３４を介して出ることができる。
【００３６】
熱交換プレート１３、ガスケット及び並列な流路は、多くの異なる配置が採用されることができ、従来技術及び原理が適用されることができる。知られているように、プレート熱交換器２の動作中、熱が、入口３１、３２及び出口３３、３４を介して流体を移送することによって、より温かい流体をより冷たい流体に伝達される。
【００３７】
熱交換プレート１３は、フレームプレート１１からプレッシャープレート１２に延びた複数の締付ボルト２１〜２６によって、フレームプレート１１とプレッシャープレート１２との間に圧縮されている。締付ボルト２１〜２６は、プレート１１、１２の切欠きに配置された、通常の、細長いボルトであることができる。締付ボルト２１〜２６の各々は、ボルトヘッド２１１のような、フレームプレート１１のところのボルトヘッドと、締付ボルト２１〜２６の第１の締付ボルト２１の締付ナット２１３のような、プレッシャープレート１２のところの締付ナットとを有する。ワッシャが、第１の締付ナット２１のワッシャ２１２、２１４のような、各ボルトヘッドの間で締付けナットに夫々配置され、また、熱交換プレート１３が、締付ナットの各々を締付ボルト２１〜２６に締め付けることによって圧縮されている。
【００３８】
要するに、プレート熱交換器２は、箱状の構造を有し、半分の締付ボルト２１〜２３が、プレート熱交換器２の第１の側３に配置され、残りの半分の締付ボルト２４〜２６が、プレート熱交換器２の第２の側４に配置されている。プレート熱交換器２のプレート１１、１２、１３がほぼ垂直に配置されているので、プレート熱交換器２は、上側６と下側５とを有することができる。
【００３９】
熱交換プレート１３が圧縮されたとき、熱交換プレート１３及びプレッシャープレート１２は、フレームプレート１１に対して適切にアライメントされている。このアライメントを達成するために、プレート熱交換器２は、上側６のところの上側ガイドバー１６と、下側５のところの下側ガイドバー１５とのような、少なくとも１つのガイドバーを有する。ガイドバー１５、１６は、フレームプレート１１に、プレッシャープレート１２に、又は熱交換プレート１３に、孔又は切欠きを貫通して延びている。ガイドバー１５、１６の一方又は両方が、熱交換プレート１３及びプレッシャープレート１２の支持バーとして機能することができる。これは、熱交換プレート１３及びプレッシャープレート１２が、上側ガイドバー１６から懸吊されることができるか、下側ガイドバー１５により支持されることができるかの少なくとも一方であることを意味する。
【００４０】
いずれの場合においても、熱交換プレート１３が圧縮されたとき、例えば、プレート熱交換器２が動作するように組み立てられたとき、ガイドバー１５、１６の各々が、フレームプレート１１に向かう熱交換プレート１３及びプレッシャープレート１２の移動を制御する。プレート熱交換器２が開かれるとき、締付ボルト２１〜２６のところの締付ナットは、締付ボルト２１〜２６が取り外されることができるように解放される。そして、熱交換プレート１３及びプレッシャープレート１２が、フレームプレート１１から、ガイドバー１５、１６に沿って、ガイドバー１５、１６に沿った方向Ｄ１に移動されることができ、これにより、プレート熱交換器２を開く。
【００４１】
プレート熱交換器２が動作するように組み立てられるとき、熱交換プレート１３及びプレッシャープレート１２が、ガイドバー１５、１６に沿った逆方向Ｄ２に、フレームプレート１１に向かって移動される。フレームプレート１１に向かう逆方向Ｄ２への移動により、やがて、プレート熱交換器２が閉じられ、ナットを締付ボルト２１〜２６に締めることにより成し遂げられる。
【００４２】
上側ガイドバー１６は、熱交換プレート１３に対向しているフレームプレート１１の側に延びた自由な、ねじ付き端部を有する。ナット１６１が、ガイドバー１５の自由端に配置され、また、ワッシャ１６２が、ナット１６１とフレームプレート１１との間に配置され、フレームプレート１１に対するガイドバー１６の移動を効率的に防ぐ。下側ガイドバー１５は、対応しているねじ付き端部を有し、ナット１５１及びワッシャ１５２が、フレームプレート１１に対する下側ガイドバー１５の移動を防ぐように配置されている。
【００４３】
図２のＢの部分の横断面図である図３を参照すると、締付部材４０が、下側ガイドバー１５が熱交換プレート１３を圧縮するのをアシストするように、下側ガイドバー１５に配置されている。プレート係合部５０が、締付部材４０がフレームプレート１１に向かう方向Ｄ２にプレッシャープレート１２を押圧するように、締付部材４０とプレッシャープレート１２との間に配置されている。締付部材４０は、スリーブ７０によって部分的に覆われている。第１の保護スリーブ１５５が、プレッシャープレート１２の一方の側でガイドバー１５の一部を覆っており、また、第２の保護スリーブ１５６が、プレッシャープレート１２の他方の側で下側ガイドバー１５の一部を覆っている。これら保護スリーブ１５５、１５６の各々は、夫々のスリーブが下側ガイドバー１５上を繰り返し摺動することができる内径を有する。第１の保護スリーブ１５５は、第１の先端ナット１５３（図２参照）によって下側ガイドバー１５で適所に保持され、フレームプレート１１から方向Ｄ１への移動を防ぐ。上側ガイドバー１６のところの対応している保護スリーブ１６５は、第２の先端ナット１６３（図２参照）によって同様に適所に保持される。
【００４４】
下側ガイドバー１５は、ねじ部１５７を有し、このねじ部は、第１の半径Ｒ１によって規定される円形断面を有し、幾何学的な軸線Ａ１に沿って延びている。下側ガイドバー１５はまた、垂直方向Ｖに下側ガイドバー１５を支持している支持体を通って延びている。垂直方向Ｖは、プレート熱交換器２の下側５からプレート熱交換器２の上側６の方向として規定されることができる。プレート熱交換器２が動作するように組み立てられたとき、即ち、プレッシャープレート１２がフレームプレート１１に対して所定の位置にあるとき、支持体６０が、プレッシャープレート１２の位置の真下に配置され、熱交換プレート１３の適切な圧縮を与える。
【００４５】
締付部材４０は、従来のナットのように下側ガイドバー１５に沿ってねじ止めされることができる寸法の、内側の、ねじ部を有する。従って、締付部材４０が一方向に回転されると、締付部材はフレームプレート１１から方向Ｄ１に移動し、これは、締付部材４０の締め付け解除として参照される。逆方向の回転が、締付部材４０をフレームプレート１１に向かって方向Ｄ２に移動させ、これは、締付部材４０の締め付けとして参照される。締付部材４０は、下側ガイドバー１５から半径方向に延びており、第２の半径Ｒ２によって規定された外周縁を備えた円形断面を有する。従って、第２の半径Ｒ２は、第１の半径Ｒ１よりも大きい。プレート係合部５０は、下側ガイドバー１５から径方向に延びており、第２の半径Ｒ２よりも大きい第３の半径Ｒ３によって規定された外周縁を有する。
【００４６】
第１の保護スリーブ１５５及び第２の保護スリーブ１５６は、各々、第２の半径Ｒ２の２倍に相当する直径を有する。これは、保護スリーブ１５５、１５６の各々が、第２の半径Ｒ２によって規定された外周縁を備えた円形形状を有することを意味している。
【００４７】
ここに説明される半径Ｒ１、Ｒ２、Ｒ３の各々は、幾何学的な軸線Ａ１と一致する点で、その径方向中心を有するものとして見られることができる。
【００４８】
詳細には、図４ａ並びに図４ｂをさらに参照すると、プレート係合部５０は、切欠き５４が設けられたワッシャの形状を有することができる。プレート係合部５０は、第３の半径Ｒ３によって規定された外側寸法を備えた円形形状を有することができる。切欠き５４は、Ｕ形状であることができ、小さな遊びに加えて、下側ガイドバー１５の直径（２×第１の半径Ｒ１）によって規定された幅を有することができる。これにより、プレート係合部５０が下側ガイドバー１５に配置されることができるので、下側ガイドバー１５が切欠き５４を通って延びることができる。明らかに、Ｕ形状の切欠き５４により、プレート係合部５０が夫々下側ガイドバー１５から取り外されて繰り返し置かれることができる。
【００４９】
締付部材４０に面しているプレート係合部５０の一方の側では（図４ａ参照）、プレート係合部５０は、小さな遊びに加えて、第２の半径Ｒ２によって規定された円形溝５５の形態の凹部を有する。図示されるように、プレート係合部５０の外周縁は、第３の半径Ｒ３によって規定される。
【００５０】
プレッシャープレート１２に面しているプレート係合部５０の他方の側では（図４ｂ参照）、プレート係合部５０は、コネクタ５３を有する。コネクタ５３は、第１の突起部５３２と第２の突起部５３３とを備えた弧状突出部５３１の形態を有し、第１の突起部５３２及び第２の突起部５３３は、弧状突出部５３１から径方向に延びている。突起部５３１、５３２の間に、当接面５６が、プレート係合部５０がプレッシャープレート１２に係合できるようにするために形成されている。例示されるプレート係合部５０では、当接面５６は、第２の半径Ｒ２から第３の半径Ｒ３にリダイヤル延長部を有することができる。
【００５１】
図５を参照すると、締付部材４０は、ガイド部４１と、グリップ部４２と、円形の貫通孔４３とを有する。ガイド部４１は、第２の半径Ｒ２によって規定された外周縁を備えた円形形状を有する。ガイド部４１の端部では、締付部材４０は、プレート係合部５０の円形溝５５によって受けられることができる係合面４４を有する。グリップ部４２は、工具が締付部材４０と係合できるようにするために、従来の、六角ナットを有することができる。貫通孔４３のサイズは、第１の半径Ｒ１によって規定され、下側ガイドバー１５に沿って下側ガイドバーに螺合されるようにねじ込まれる。
【００５２】
図６を参照すると、スリーブ７０は、締付部材４０のグリップ部４２を受け、覆うことができる六角形のトラフ孔７２を有する。従って、スリーブ７０は、締付部材４０のグリップ部４２の上に配置されることができる。スリーブ７０の外周縁は、ガイド部７１として参照され、第２の半径Ｒ２によって規定された円形形状を有することができる。
【００５３】
図７を参照すると、支持体６０は、ベース６５を有し、アーム６３がこのベースから延びている。アームの上側部分６８は、開口６２を有し、下側ガイドバー１５がこの開口を貫通して延びることができる。上側部分６８の上側の、周縁面は、ガイド部６１として参照され、第２の半径Ｒ２によって規定された円形形状を有することができる。
【００５４】
図８を参照すると、プレッシャープレート１２は、下側ガイドバー１５及び支持体６０を受けるように配置された切欠き１２１を有する。切欠き１２１は、孔、スロット、溝、開口又は貫通孔として参照されることでき、小さな遊びに加えて、第２の半径Ｒ２によって規定された円形形状を有することができる。切欠き１２１の内面１２４は、締付部材４０を越えて摺動することができる面を形成している。このことから、内面もまた、小さな遊びに加えて、第２の半径Ｒ２によって規定された円形形状を有する。
【００５５】
プレッシャープレート１２は、さらに、切欠き１２１から径方向に延びている２つのスロット１２２、１２３の形態のコネクタを有する。これらスロット１２２、１２３は、切欠き１２１と一体として見られることができ、プレート係合部５０の突起部５３２、５３３を受けるように寸法を設定されることができる。これは、切欠き１２１がプレート係合部５０を受けることができることを意味している。そして、プレート係合部５０の突出部５３１及びプレートの突起部５３２、５３３は、夫々、切欠き１２１、スロット１２２、１２３に延びることができる。そして、プレート係合部５０の突出部５３は、プレッシャープレート１２のスロット１２２、１２３の形態のコネクタを係合することができるコネクタを形成している。プレッシャープレート１２の切欠き１２１がプレート係合部５０を受けたとき、プレート係合部５０の当接面５６がプレッシャープレート１２の対応している当接面１２５と当接する。
【００５６】
図９ａないし図９ｄを参照すると、プレート係合部５０がどのように解除されることができ、締付部材４０がその後下側ガイドバー１５をどのように保護することができるかが示される。例えば、プレート熱交換器２が開かれたとき、プレッシャープレート１２が締付部材４０を越えて移動することができる。
【００５７】
図９ａは、プレート係合部５０が締付部材４０とプレッシャープレート１２との間に適切に配置されているときの状態を示す図である。締付部材４０の係合面４４がプレート係合部５０の円形溝５５に当接するので、また、プレート係合部５０の当接面５６がプレッシャープレート１２の当接面と接触するので、締付部材４０は、プレッシャープレート１２をフレームプレート１１に向かって方向Ｄ２に押圧する。そして、締付部材４０、プレート係合部５０及び下側ガイドバー１５は、フレームプレート１１に向かってプレッシャープレート１２を押圧するように締付ボルト２１〜２６と協働することができるので、熱交換プレート１３が圧縮される。スリーブ７０は、締付部材４０のグリップ部４２の上に配置され、第１の保護スリーブ１５５がスリーブ７０に隣接しているので、下側ガイドバー１５が完全に保護される。
【００５８】
この位置では、締付部材４０に対するプレート係合部５０の横方向の移動が制限される。これは、プレート係合部５０の円形溝５５の形態の凹部が締付部材４０の係合面４４を受けるので、達成される。横方向の移動は、幾何学的な軸線Ａ１に垂直な移動、又は、上述した垂直方向Ｖに平行な移動として規定されることができ、下側ガイドバー１５は、軸線Ａ１に沿って延びている。また、プレート係合部５０のコネクタ５３は、プレッシャープレート１２の突起部１２２、１２３の形態のコネクタと相互作用し、プレッシャープレート１２に対するプレート係合部５０の回転及び横方向の移動を制限する。
【００５９】
締付部材４０及びプレッシャープレートの間のプレート係合部５０の説明される配置は、締付部材４０が、プレッシャープレート１２をフレームプレート１１に向かって方向Ｄ２にどのように押圧することができるか、即ち、締付部材４０とプレッシャープレート１２との間の相互作用がどのように達成されることができるかの一例である。特に、締付部材４０は、下側ガイドバー１５の周りでそれを回転させることによって、プレッシャープレート１２を押圧することができるので、締付部材は、プレッシャープレート１２に向かう方向に移動する。これは、フレームプレート１１に向かう方向Ｄ２の移動に対応している。機能的な観点から見ると、プレート係合部５０は、締付部材４０とプレッシャープレート１２との噛合や連結のための手段として見られることができる。
【００６０】
図９ｂ並びに図９ｃは、プレート係合部５０がどのように解放されることができるかを示す図である。これは、先端ナット１５３を取り外すこと（図２参照）と、第１の保護スリーブ１５５及びスリーブ７０をフレームプレート１１から方向Ｄ１に移動させることとを含む。下側ガイドバー１５のねじ部１５７及び締付部材４０のグリップ部４２は、その後、露出されて、ねじ付きの締付部材４０が、方向に回転されることができるので、ねじ付きの締付部材４０が、フレームプレート１１から離れて、即ち、プレッシャープレート１２から離れて、方向Ｄ１に下側ガイドバー１５に沿って移動する。このプロセスの間、締付ボルト２１〜２６は、フレームプレート１１に対する固定位置でプレッシャープレート１２を保持し、プレート係合部５０は、方向Ｄ１にそれを短距離だけ摺動させて、それを下側ガイドバー１５から持ち上げる（図９ｃ）ことによって、容易に取り外されることができる。
【００６１】
図９ｄは、締付部材４０を示す図である。締付部材４０が所定の方向に回転しているとき、支持体６０に接触するまで、フレームプレート１１に向かう（即ち、プレッシャープレート１２に向かう）方向Ｄ２に下側ガイドバー１５に沿って移動する。スリーブ７０及び第１の保護スリーブ１５５は、フレームプレート１１に向かって方向Ｄ２に異動されているので、スリーブ７０は締付部材４０のグリップ部４２を覆い、第１の保護スリーブ１５５は、スリーブ７０と接触する。最終的に、先端ナット１５３（図２参照）が、下側ガイドバー１５に螺合されている。見られることができるように、締付部材４０がガイドバーを保護し、ガイドバーとアライメントしている。
【００６２】
上述したように、支持体６０は、ガイド部６１を有し、締付部材４０は、ガイド部４１を有し、スリーブ７０は、ガイド部７１を有する。これらガイド部６１、４１、７１の各々及び第１の保護スリーブ１５５は、第２の半径Ｒ２によって規定された外周縁を有する円形形状を有する。これは、プレッシャープレート１２が、ガイド部６１、４１、７１によってガイドされるような締付部材４０を越えて、フレームプレート１１の方向Ｄ１に移動されることができることを意味し、プレッシャープレート１２の切欠き１２１は、小さな遊びに加えて、第２の半径Ｒ２によって規定される円形形状を有する。明らかに、方向Ｄ１にプレッシャープレート１２を移動すると、締付ボルト２１〜２６が解放されることを想定している。また、プレート係合部５０がプレッシャープレート１２と同様に解放されたときにも、熱交換プレート１３のいずれかの熱交換プレートが、フレームプレート１１から離れる方向に、締付部材を越えて移動することができる。
【００６３】
一般的には、締付ボルト２１〜２６が徐々に解放されたとき、即ち、締付ボルト２１〜２６のナットが方向Ｄ１に締められたとき、プレッシャープレート１２及び熱交換プレート１３の少なくとも１つが、方向Ｄ１に徐々に移動される。そして、熱交換プレート１３間のガスケットが、プレッシャープレート１２及び熱交換プレート１３（主にプレッシャープレート１２に最も近い熱交換プレート）を方向Ｄ１に移動させるように膨張される。この自己膨張は、最終的に停止し、締付ボルト２１〜２６が、最終的に、フレームプレート１１及びプレッシャープレート１２から再移動されることができる。その後、プレッシャープレート１２及び熱交換プレート１３が、フレームプレート１１から離れる方向Ｄ１に手動で移動されることができる。
【００６４】
ガイド部６１、４１、７１及び第１の保護スリーブ１５５は、共通の半径によって少なくとも部分的に規定されるので、支持体６０と、締付部材４０と、スリーブ７０と第１の保護スリーブ１５５との少なくとも１つが、少なくとも部分的に同じ周面を有することができる。
【００６５】
切欠き１２１の内面１２４がガイド部６１、４１、７１のいくつか又は全ての上を、越えて摺動することが可能であっても、プレッシャープレート１２がガイド部６１、４１、７１のいくつか又は第１の保護スリーブ１５５と必ずしも接触すべきでないことが留意される。
【００６６】
図１０を参照すると、プレート熱交換器２を開く方法が示される。この方法は、図９ａ〜図９ｄに関連して説明される手順に対応している。この方法は、その大部分の一般的な形態では、ｉ）プレート係合部が解放されることができるように、締付部材４０を締付解除すること９１と、ｉｉ）プレート係合部５０を解放すること９２と、ｉｉｉ）締付部材４０を締め付けること９３と、ｉｖ）フレームプレート１１からの方向に、締付部材４０を越えてプレッシャープレート１２を移動させるように、締付ボルト２１〜２６を締付解除すること９４とを含む。
【００６７】
プレート熱交換器２が閉じられるとき、この方法は、逆の順序で行われる。図９ａ〜図９ｄに関連して説明される手順は、プレート熱交換器２を閉じるために逆の順序で行われることができる。
【００６８】
説明されるプレート熱交換器２の代わりの実施の形態が考えられる。例えば、図２を参照すると、プレート係合部８２、締付部材８１及びスリーブ８３は、上側ガイドバー１６に配置されることができ、また、これらプレート係合部８２、締付部材８１及びスリーブ８３は、夫々、下側ガイドバー１５で、プレート係合部５０、締付部材４０及びスリーブ７０に対応することができる。この場合、プレッシャープレート１２は、さらに、下側ガイドバー１５の切欠き１２１に対応している切欠きを有し、上側ガイドバー１６を受け、関連するプレート係合部８２と相互作用するように構成されている。上側ガイドバー１６は、下側ガイドバー１５と同様にして、ガイドバーと支持バーとの少なくとも一方として機能することができる。プレッシャープレート１２は、対応するプレート係合部８２が解放されたとき、上側ガイドバー１６で締付部材８１を越えて移動されることができ、これは、下側ガイドバー１５でのプレート係合部５０の解放に対応するようにして達成されることができる。締付部材８１を含む上側ガイドバー１６は、下側ガイドバー１５のところに配置された構成部材に関連するいくつかの実施の形態を実行することができる。しかし、上側ガイドバー１６のところの支持体が、しばしば、下側ガイドバー１５で支持体６０よりも便利でないため、省略されることができる。
【００６９】
図１１並びに図１２を参照すると、プレート熱交換器２の他の実施の形態が示される。この実施の形態は、図３に対応しているが、スリーブ７０が省略され、第１の保護スリーブ１５５によってその機能が置き換えられているという違いがある。そして、第１の保護スリーブ１５５は、締付部材４０に隣接しており、六角形の切欠き１５９を有する。六角形の切欠き１５９は、締付部材４０のグリップ部４２を受け、覆うことができる。
【００７０】
スリーブ１５５に六角形の切欠き１５９がある代わりに、スリーブ１５５が、例えば、円形の切欠きを有することができ、この切欠きは、締付部材４０のグリップ部４２を受け、覆うことができる。同様の円形の切欠きが、図６のスリーブ７０に用いられることができる。
【００７１】
図１３ａを参照すると、締付部材４１２の第２の実施の形態が示される。この実施の形態では、締付部材４１２のグリップ部は、締付部材４１２の端部に一連の溝４１６を有する。締付部材４１２はまた、第２の半径Ｒ２によって規定された外周縁にガイド部４２２を有する。
【００７２】
図１３ｂを参照すると、締付部材４１３の第３の実施の形態が示される。この実施の形態は、図１３ａの実施の形態に対応しているが、グリップ部４１７が幾分大きく、締付部材４１７の両側の溝として構成されているという違いがある。締付部材４１３は、第２の半径Ｒ２によって規定された外周縁にガイド部４２３を有する。
【００７３】
図１３ｃを参照すると、締付部材４１４の第４の実施の形態が示される。第４の実施の形態では、グリップ部４１８は、締付部材４１４の周縁面に細長いスロットとして配置されている。締付部材４１４は、第２の半径Ｒ２によって規定された外周縁を備えたガイド部４２４を有する。ガイド部４２４は、グリップ部４１８を形成しているスロットの間に配置されている。
【００７４】
図１３ｄを参照すると、締付部材４１５の第５の実施の形態が示される。この実施の形態は、図１３ｃの実施の形態に対応しているが、グリップ部４１９を形成しているスロットが幾何学的な軸線Ａ１に沿った方向に配置されているという違いがある。締付部材４１５は、第２の半径Ｒ２によって規定された外周縁を備えたガイド部４２５を有する。
【００７５】
図１３ａ〜図１３ｄの実施の形態と同様の締付部材が使用されたとき、プレッシャープレート１２及び熱交換プレートが締付部材を越えて円滑に移動されるように覆われなくてもよいので、スリーブ７０が省略されることができる。好ましくは、プレッシャープレート１２及び熱交換プレートを移動したとき、締付部材のガイド部が、垂直方向Ｖに沿って見られるような最上位置に配置され、これにより、プレッシャープレート１２が締付部材と接触する場合には、プレッシャープレート１２がガイド部を中心に置かれることができる。ガイド部は、プレッシャープレート１２が締付部材を越えて移動する直前に、最上部になるまで、ガイドバーの周りに締付部材を回転させることによって最上位置に配置されることができる。
【００７６】
スパナやトングのような従来の工具が、説明される締付部材のグリップ部と係合するために使用されることができる。もちろん、特定のグリップ部に特に適合される工具を使用してもよい。
【００７７】
図１４を参照すると、プレート熱交換器２の他の実施の形態が示される。本実施の形態では、支柱１７を有し、下側ガイドバー１５及び上側ガイドバー１６が支柱１７を通って延びている。支柱１７は、ガイドバー１５、１６に螺合された２つのナット１８、１９によって適所に保持される。本実施の形態は、支柱１７がガイドバー１５、１６の支持を高めるという点で有効である。
【００７８】
以上の説明から、本発明のさまざまな実施の形態を説明し図示したが、本発明はこれに限定されるものではなく、特許請求の範囲に規定された主題の範囲内で他のやり方で具体化されることができる。例えば、プレート係合部は、プレッシャープレートと締付部材との間の係合を与えることができる限り、あるいは、係合が解除されるか、他のやり方で取り外されることができる限り、異なるサイズ及び形状を有することができる。さらに、プレッシャープレートは、説明される機能が達成されることができる限り、ガイドバー用の異なるタイプの切欠き又は開口を有することができる。
【００７９】
さらに、さまざまな遊びと許容公差が採用されることができるので、所定の径を参照してここに説明される形状やサイズは、必ずしも正確に同じ径を参照する必要はない。説明される機能が実行されることができる限り、例えば、非円形のガイドバー、締付部材が用いられることも可能である。
【図１】
0005749352.tif 000002
【図２】
0005749352.tif 000003
【図３】
0005749352.tif 000004
【図４ａ】
0005749352.tif 000005
【図４ｂ】
0005749352.tif 000006
【図５】
0005749352.tif 000007
【図６】
0005749352.tif 000008
【図７】
0005749352.tif 000009
【図８】
0005749352.tif 000010
【図９ａ】
0005749352.tif 000011
【図９ｂ】
0005749352.tif 000012
【図９ｃ】
0005749352.tif 000013
【図９ｄ】
0005749352.tif 000014
【図１０】
0005749352.tif 000015
【図１１】
0005749352.tif 000016
【図１２】
0005749352.tif 000017
【図１３ａ】
0005749352.tif 000018
【図１３ｂ】
0005749352.tif 000019
【図１３ｃ】
0005749352.tif 000020
【図１３ｄ】
0005749352.tif 000021
【図１４】
0005749352.tif 000022